Podtech/llm-jp-corpus-v4-ja_patent huggingface dataset:
(57)【要約】【課題】過剰なメタリック感を抑えた深みのある色合いを出すことができる装飾用シートを提供する。【解決手段】装飾用シート１０は、表層から順に透明ラミネート層１２、着色層１４、金属光沢層１６、基材層１８、粘着層２０、剥離層２２を備えた多層構造体とされている。金属光沢層１６が着色層１４と透明ラミネート層１２で覆われているので、メタリック特有のぎらつき感が抑えられ、節度のある光沢感を伴った深みのある色合いが醸し出される。【選択図】図１
0003153410.tif 000002
【実用新案登録請求の範囲】
【請求項１】
基材層と、前記基材層の上層の光沢層と、前記光沢層の上層の着色層と、前記着色層の上層の透明ラミネート層と、前記基材層の下層の粘着層と、前記粘着層の下層の剥離層で構成された装飾用シート。
【考案の詳細な説明】
【技術分野】
【０００１】
本考案は、屋内装飾に用いられる装飾用シートに関する。
【背景技術】
【０００２】
カラオケ店、ゲームセンター、パチンコ店などの遊技場では、内壁や遊戯具の架台など客が目にするところに華やかな装飾を施し、施設内の雰囲気を明るく豪華なものに演出している。このような装飾には、施工が簡単で演出効果の高いメタリック系の装飾用シートが広く用いられている。従来のメタリック系の装飾用シートは、特許文献１に開示されているように、塩化ビニル系樹脂に着色剤とアルミニウム等の金属粉を混ぜて作られている。
【先行技術文献】
【特許文献】
【０００３】
【特許文献１】特開昭５７−５９７１４号公報
【考案の概要】
【考案が解決しようとする課題】
【０００４】
しかし、従来の装飾用シートは、表層に金属粉を含む光沢層があるため、ともすればメタリック特有のぎらつき感が前面に出過ぎてしまい、本来の目的とは逆に安っぽい感じを与えてしまうという欠点があった。また、金属粉の定着が悪いとシートから剥がれ落ちて、遊戯具や床を汚す原因にもなっていた。
【０００５】
本考案は、過剰なメタリック感を抑えつつ、艶と深みのある色合いを出すことができる装飾用シートを提供することを目的とする。
【課題を解決するための手段】
【０００６】
本考案は、基材層と、前記基材層の上層の金属光沢層と、前記金属光沢層の上層の着色層と、前記着色層の上層の透明ラミネート層と、前記基材層の下層の粘着層と、前記粘着層の下層の剥離層で構成された装飾用シートとして構成されている。
【０００７】
金属光沢層が着色層で覆われているので、金属光沢層からの反射光は着色層に含まれる顔料などによって遮光されたり、拡散されたりする。これによりメタリック特有のぎらつき感が適度に抑えられ、節度のある光沢感を伴った深みのある色合いが醸し出される。また金属粉が剥がれ落ちる心配がなく、住環境や健康に配慮されたものとなっている。
【０００８】
表層の透明ラミネート層は、装飾用シートを外部環境から保護するとともに発色に艶と深みを与える。
【考案の効果】
【０００９】
本考案の装飾用シートは、メタリック特有のぎらつき感を抑えつつ、節度ある光沢感を伴った艶と深みのある色合いを醸し出すことにより、落ち着きのある心地よい空間を創出する効果をもたらす。
【図面の簡単な説明】
【００１０】
【図１】装飾用シートの断面図
【考案を実施するための形態】
【００１１】
図１に本考案の実施の形態の装飾用シートの構造を示す。装飾用シート１０は、表層から順に透明ラミネート層１２、着色層１４、金属光沢層１６、基材層１８、粘着層２０、剥離層２２を積層した多層構造体である。
【００１２】
基材層１８は、装飾用シート１０の基礎となる部分であり、強度や柔軟性の点から樹脂シートを用いるのが好ましく、例えば、塩化ビニル系樹脂シート、アクリル系樹脂シート、プロピレン系樹脂シートなどの合成樹脂シートを使用することができる。
【００１３】
金属光沢層１６は、印刷、蒸着、転写などの手法を用いて形成することができる。使用する金属としては、例えば、金、銀、クロム、アルミニウムなどを挙げることができる。この中ではアルミニウムが最も安価で軽量でもあるので製作費や輸送費の点で有利である。
【００１４】
印刷には、金属インキを使用したグラビア印刷やスクリーン印刷などの周知の印刷方法を用いることができる。
【００１５】
蒸着には、真空蒸着法、スパッタリング法、イオンプレーティング法などを用いることができる。蒸着は基材層１８の全面に施すほか、適宜の間隔をおいて部分的に施してもよい。基材層１８に熱硬化性樹脂または紫外線硬化性樹脂を施しておくと金属の蒸着性が向上する。
【００１６】
着色層１４は、印刷、転写、蒸着、スプレー塗装、蒸着フィルムのラミネートなどの方法で形成することができる。金属光沢層１６からの反射光は、上層の着色層１４に含まれる顔料などに当たって一部が遮光されたり、拡散したり、乱反射したりする。これによりメタリック特有のぎらつき感が適度に抑えられ、節度のある光沢感を伴った深みのある色合いが醸し出される。 
【００１７】
透明ラミネート層１２は、装飾用シート１０の表層をハードコートしたものであり、装飾用シート１０を磨耗や酸化、湿気などから保護している。さらに透明ラミネート層１２は、反射光を適度に吸収したり偏光させたりして、発色に艶と深みを与えている。透明ラミネート層１２には、無色または必要に応じて着色したＰＥＴ（ポリエステル）フィルムやＰＶＣ（塩化ビニル）フィルムを使用することができる。
【００１８】
粘着層２０は、装飾用シート１０を装飾対象物に貼り付けるための接着剤の役割を担っている。接着剤の種類は特に限定されない。粘着層２０には剥離層２２が貼り付けられている。
【００１９】
装飾用シート１０を使用するときは、装飾対象物の大きさに合わせて切断等の加工を施し、剥離層２２を剥がして粘着層２０を露出させ、装飾対象物に貼り付ける。
【符号の説明】
【００２０】
１０  装飾用シート
１２  透明ラミネート層
１４  着色層
１６  金属光沢層
１８  基材層
２０  粘着層
２２  剥離層
【図１】
0003153410.tif 000003
(57)【要約】      （修正有）【課題】名刺交換、自己紹介の際に提供品を、気兼ねなく受け取る事が出来る名刺、名刺広告等の容器型名刺を提供する。【解決手段】容器型名刺の内部に化粧品類、化粧用紙類等の具材を収納する提供品入り容器型名刺において、該容器型名刺本体は、プラスチック等の構成材料を似て名刺程の大きさに形成され、蓋体１，２と本体３を、後端部で開閉自在に軸支し、全部に係止装置を設けた容器型名刺において、本体に升目、分割、無分割等に凹設して容器型名刺を構成する。また、蓋の表面と本体の裏面に各々会社名、住所、氏名、電話番号、名刺広告及び広告名及び宣伝名等の文字またはマーク、顔写真などを記載してもよい。【選択図】図１
0003153465.tif 000002
【実用新案登録請求の範囲】
【請求項１】
容器型名刺の内部に化粧品類、化粧用紙類等の試供品を収納する提供品入り容器型名刺において、該容器型名刺本体は、プラスチック等の構成材料を似て名刺程の大きさに形成され、蓋体と本体を、後端部で開閉自在に軸支し、全部に係止装置を設けた容器型名刺において、本体に升目、分割、無分割等に凹設した容器型名刺。
【請求項２】
蓋の表面と本体の裏面に各々会社名、住所、氏名、電話番号、名刺広告及び広告名及び宣伝名等の文字またはマーク、顔写真を記載範囲とし、自己紹介、試供品の提供を結合させた容器型名刺。
【考案の詳細な説明】
【技術分野】
【０００１】  本考案は、化粧品類、化粧用紙類等の提供品を収納する名刺、名刺広告型の容器に関する。
【背景技術】
【０００２】現在において一般的に使用されている名刺と同様の使用目的を成す。マッチやライターに印刷した物が宣伝用提供品の花形であったが、近年では社会全体が禁煙傾向にあり、マッチやライターの需要も少なくなってきている、代用品として小袋に入れたティッシュペーパー等が使用頻度の多い事を主な理由に宣伝用提供品として利用されているが最近は同じ物を宣伝に利用する業者が甚だ多く、提供する側も提供される側もマンネリ化したようである。小袋等は直ぐに捨てられティッシュペーパーは使い捨ての為、宣伝用の提供品としては長期間の効果を期待できる物とは言いえない。新用途の宣伝用提供品の出現を期待している者が多い。
【考案の開示】
【考案が解決しようとする課題】
【０００３】１．  ローコストの宣伝用提供品で使用頻度が多い物を提供する。
２．  長期間の宣伝効果が上がる物の提供をする。
３．  誰もが常に携帯し話題性に富む物の提供をする。
４．  ライターやマッチはが禁煙者が増す世の中ではイメージが悪く。ティッシュペーパーは多様に手渡されマンネリ化している為、高品位の提供品とは言い難い。
【課題を解決するための手段】
【０００４】１．  アイデアの閃きは一瞬で消え去り思い出すのに苦労する、名刺と化粧品等の試供品が一体化した物であれば印象が強く、営業の課題でもある話題性の発展にも繋がる。また世の女性が持つ美の探求心を理解する事に近づく事が出来る。閃きは貴重である。
２．  名刺交換に対して習慣の少ない女性に対しても、女性が常に携帯する頻度の高い化粧品等であれば永く保存される事から表裏に印刷したものの名刺広告等の宣伝効果は抜群である。
３．  化粧品等の提供品であれば、美に対する探求心を強く持っている女性は常に携帯し、女性の美の話題にも男性が関与でき話題性が増し、会話が弾む。
４．  化粧品等と名刺を合体させる事で、化粧品等の清潔、清楚な印象を手渡すとき与える事が出来、相手が驚き満足させる事が出来る。ユーザーに好感を持たすことになる。
【考案の効果】
【０００５】日本の標準の名刺サイズ程度の大きさにする事で、名刺交換が習慣になっている諸国において、違和感なく受け取る事が出来る。また提供品といった付加価値を付ける事によって第一印象が悪くなる事はなく、話題性が増え会話に繋がり、深く印象を与える事が出来る。
【考案を実施するための最良の形態】
【０００６】日本の標準の名刺サイズ程度とする。
【実施例】
【０００７】以下図面に基づき説明する。図１は蓋体表面（上部）、図５は本体裏面で氏名、所属、連絡先電話番号、所在地、いわゆる名刺と称される文字等を印刷領域とし、本物品はプラスチック等で構成され色、文字は様々な種類を使用する。図３は本体に設けた凹設部は升目、上下分割、左右分割等、用途に応じて化粧品等の具材を入れる事が出来る。名刺兼提供品として従来の名刺に付加価値を付け加えた容器である。
【産業上の利用可能性】
【０００８】日本をはじめ東アジア、東南アジアでは職業上は初対面時に最初に名刺を交換するのが習慣化しており、欧州や北米では、名刺交換の頻度は低かったが近年では東アジアの商習慣に合わせたりし、珍しくない光景にある。
名刺はアジア諸国では名刺交換等の習慣がある為、誰もが名刺を携帯している為、手渡す時に相手が気分良く受け取る事が出来る。
【図面の簡単な説明】
【０００９】
【符号の説明】
【００１０】１：蓋体  表面
２：蓋体  裏面
３：本体
４：側面
５：本体裏面
６：背面
【図１】
0003153465.tif 000003
0003153465.tif 000004
【手続補正書】
【提出日】平成21年6月10日(2009.6.10)
【手続補正１】
【補正対象書類名】実用新案登録請求の範囲
【補正対象項目名】全文
【補正方法】変更
【補正の内容】
【実用新案登録請求の範囲】
【請求項１】
容器型名刺の内部に化粧品類、化粧用紙類等の具材を収納する提供品入り容器型名刺において、該容器型名刺本体は、プラスチック等の構成材料を似て名刺程の大きさに形成され、蓋体と本体を、後端部で開閉自在に軸支し、全部に係止装置を設けた容器型名刺において、本体に升目、分割、無分割等に凹設した容器型名刺。
【請求項２】
蓋の表面と本体の裏面に各々会社名、住所、氏名、電話番号、名刺広告及び広告名及び宣伝名等の文字またはマーク、顔写真の少なくともひとつを記載した事を特徴とする請求項１記載の容器型名刺。
【手続補正２】
【補正対象書類名】明細書
【補正対象項目名】０００９
【補正方法】変更
【補正の内容】
【０００９】
【図１】  「本体正面を示した平面図である。」
【図２】  「本体より蓋体の展開を示した断面図である。」
【図３】  「本体を示した断面図である。」
【図４】  「本体背面を示した平面図である。」
【図５】  「本体平面を示した平面図である。」
【手続補正３】
【補正対象書類名】明細書
【補正対象項目名】００１０
【補正方法】変更
【補正の内容】
【００１０】１：本体  正面
２：蓋体  裏面
３：蓋体  表面
４：本体  側面
５：本体  底面
６：本体  背面
７：本体  平面
【手続補正４】
【補正対象書類名】図面
【補正対象項目名】全図
【補正方法】変更
【補正の内容】
【図１】
0003153465.tif 000005
【図２】
0003153465.tif 000006
【図３】
0003153465.tif 000007
【図４】
0003153465.tif 000008
【図５】
0003153465.tif 000009
(57)【要約】      （修正有）【課題】サバイバルゲームにおいて、使用者を物理的な被弾及び被弾による遊戯参加権の失効から例外的に防護し、またコスチュームプレイを行うための道具を提供する。【解決手段】防護盾本体は金属もしくは非金属の対衝撃樹脂等の素材で構成され、手での保持を可能にするハンドルをその裏面に設け、更に盾本体には本体の構成素材とは別種の透明素材が用いられたのぞき窓を設けて、サバイバルゲーム用の戦術的防護盾を構成する。【選択図】図１
0003153464.tif 000002
【実用新案登録請求の範囲】
【請求項１】
金属や非金属の対衝撃樹脂等で構成されており、手での保持を可能にするハンドルが裏面に設けられ、本体には別種の透明素材を用いて作成されたのぞき窓を一つの物体に同時に設けた構造を有する戦術的防護盾。
【考案の詳細な説明】
【技術分野】
【０００１】本考案はサバイバルゲームにおいて、使用者を物理的な被弾及び被弾による遊戯参加権の失効から例外的に防護し、またコスチュームプレイを行なうための道具に関する。
【技術背景】
【０００２】世間に存在する趣味の一つに、サバイバルゲームと言う遊戯が存在する。
法律的に許可または違法性の無い玩具銃や軍装等を使用し、弾丸で撃ち合い仮想的に戦闘を体験するものである。基本的な規定としては、弾丸が参加者の身体及び所持する装備に命中することで一部例外を除き、致命的損傷と判断され、被弾者は一定の条件下において遊戯参加権を失効することになるというものである。これは、被弾箇所が客観的に正確な特定が困難であり、それにより致命的であるか否かの判断も困難なためである。しかし、軍隊や警察が使用する実在の防御盾を模した道具を導入し、被弾箇所が盾なのかそれ以外なのかの正確な特定を可能にすることで、盾に関しては上記の例外になりうるのである。また同時に、実際・架空を問わず存在する様々な軍隊またはそれに準ずる組織の正規の装備を忠実に再現する、一種のコスチュームプレイを楽しむことも範疇に含まれている。
【考案の開示】
【考案が解決しようとする課題】
【０００３】従来、サバイバルゲームにおいて参加者は身体及び所持した装備への被弾により、一部例外を除き一定の条件下での遊戯参加権が失効する。また、一種のコスチュームプレイを行なうため実際・架空を問わず存在する様々な軍隊またはそれに準ずる組織の正規の装備を忠実に再現するための防護盾に値する物が存在しなかった。
【課題を解決するための手段】
【０００４】サバイバルゲームにおいて軍隊や警察が使用する実在の防御盾を模した道具を導入し、被弾箇所が盾なのかそれ以外なのかの正確な特定が可能にすることで、例外的に使用者を物理的被弾及び被弾による遊戯参加権の失効から防護し、防護状態で防護盾自体が視覚的な遮蔽物になることを防ぎ、前方を視認することが目的で設けられた覗き窓が本体に有し、同時に一種のコスチュームプレイを行なうため実際・架空を問わず存在する様々な軍隊またはそれに準ずる組織の正規の装備を忠実に再現する構造を有したもの。その構造により上記の課題を解決する手段とする。
【考案の効果】
【０００５】サバイバルゲームにおいて、従来は参加者への被弾箇所が客観的に正確な特定が困難であり、それにより致命的であるか否かの判断も困難であるため、一部例外を除き、致命的損傷と判断され、被弾者は一定の条件下において遊戯参加権を失効することになるというものであった。
【考案を実施するための最良の形態】
【０００６】サバイバルゲームにおいて軍隊や警察が使用する実在の防御盾を模した道具を導入し、被弾箇所が盾なのかそれ以外なのかの正確な特定が可能にすることで、例外的に使用者を物理的な被弾及び被弾による遊戯参加権の失効から防護し、防護状態で防護盾自体が視覚的な遮蔽物になることを防ぎ、前方を視認することが目的で設けられた覗き窓が本体に有し、同時に一種のコスチュームプレイを行なうため実際・架空を問わず存在する様々な軍隊またはそれに準ずる組織の正規の装備を忠実に再現する構造を有したもの。
【図面の簡単な説明】
【０００７】
【図１】  表正面図
【図２】  側面面図
【図１】
0003153464.tif 000003
【図２】
0003153464.tif 000004
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
防護盾本体は金属もしくは非金属の対衝撃樹脂等の素材で構成され、手での保持を可能にするハンドルがその裏面に設けられており、更に盾本体には本体の構成素材とは別種の透明素材が用いられたのぞき窓が設けられた構造を有する戦術的防護盾。
(57)【要約】      （修正有）【課題】簡単に後付けできる自動車のサイドアンダーミラーを提供する。【解決手段】サイドアンダーミラー１０は、自動車のボンネット２に、金属クリップ３とゴム磁石４で固定する着脱可能の台座部分を有する。【選択図】図２
0003153467.tif 000002
【実用新案登録請求の範囲】
【請求項１】
自動車のボンネットに、金属クリップとゴム磁石で固定する着脱可能の台座部分を有する、サイドアンダーミラー。
【請求項２】
別の形態のあり方として、サイドアンダーミラーを、台座部分とミラー部分のふたつの部品に分ける。そして台座部分をボンネットに取り付けてから、ミラー部分をその台座部分にはめ込む。
【考案の詳細な説明】
【技術分野】
【００１】  本考案は、自動車のサイドアンダーミラー関する。
【技術背景】
【００２】  従来の自動車のサイドアンダーミラーの取り付けは、フェンダーに固定されたものしかなかった（図１）。
【考案の開示】
【考案が解決しようとする課題】
【００３】  そのため、サイドアンダーミラーの必要を感じても、簡単に後付けできなかった。
【課題を解決するための手段】
【００４】  そこで、ボンネットに、金属クリップとゴム磁石で固定する、着脱可能な台座部分を有する、サイドアンダーミラーを考案した（図２）。
【考案の効果】
【００５】  それによって、サイドアンダーミラーの取り付けが簡単にできるようになり、運転者は、バックミラーとドアミラーの死角の部分を容易に確認できるようになる。またそのミラーの形状によっては、従来のフェンダーミラーの機能を果たすことができる。しかもこの取り付けは、ＲＶ車のみならず、ボンネットを有する大半の普通乗用車および軽自動車にも可能である。
【考案を実施するための最良の形態】
【００６】  本考案に係わるサイドアンダーミラー１０は、図２に示すように、フロントフェンダー１ではなくボンネット２に固定する。またボンネット２への固定は、図３に示すように、サイドアンダーミラー１０の下部の台座部分２０に取り付けられている金属クリップ３とゴム磁石４とによる。金属クリップ３をボンネット２に挟み込むと、ゴム磁石４がボンネット２の上部に密着する。また固定の強度を増すために、台座部分２０はフロントフェンダー１に張り出す形になっている。
なお、洗車等を考慮すると、図４に示すような形態もありうる。サイドアンダーミラー１０を、台座部分２０とミラー部分３０のふたつの部品に分け、まず、分離した台座部分２０をボンネット２に取り付けてから、分離したミラー部分３０をその台座部分２０にはめ込む。
【図面の簡単な説明】
【００７】
【図１】  従来のサイドアンダーミラーが、フロントフェンダーに取り付けられている状態の斜視図である。
【図２】  本考案に係わるサイドアンダーミラーが、着脱可能な台座部分によってボンネットに取り付けられた状態の断面図である。
【図３】  本考案に係わる台座部分を、ボンネットに接する側から見た見取り図である。
【図４】  本考察に係わるサイドアンダーミラーを、台座部分とミラー部分のふたつの部品に分け、それをはめ込んだ状態の断面図である。
【符号の説明】
【００８】        １      フロントフェンダー
２      ボンネット
３      金属クリップ
４      ゴム磁石
１０      サイドアンダーミラー
２０      台座部分
３０      ミラー部分
【図１】
0003153467.tif 000003
【図２】
0003153467.tif 000004
【図３】
0003153467.tif 000005
【図４】
0003153467.tif 000006
【手続補正書】
【提出日】平成21年6月11日(2009.6.11)
【手続補正１】
【補正対象書類名】実用新案登録請求の範囲
【補正対象項目名】請求項２
【補正方法】変更
【補正の内容】
【請求項２】
ボンネットに取り付けられた台座部分と、前記の台座部分にはめ込まれたミラー部分を有することを特徴とする、請求項１に記載のサイドアンダーミラー。
(57)【要約】      （修正有）【課題】用紙が汚損破損することなく遊ぶことができるナンバープレースパズル盤を提供する。【解決手段】木製またはプラスチックの材質で正方形の箱状とし、その中をタテヨコそれぞれ９等分に区切って９×９＝８１のマスを作り、このマスの３×３＝９マスを１ブロックとし、全面を９ブロックに区切る。立方体の上面に１から９の数字を黒字で記入し、その反対下面に同じ数字を赤字で記入した９個の数字コマを１セットとし、９セットの８１個の数字コマを使用する。【選択図】図１
0003153469.tif 000002
【実用新案登録請求の範囲】
【請求項１】
木製またはプラスチックの材質で正方形の箱状とし、その中をタテヨコそれぞれ９等分に区切って９×９＝８１のマスを作り、このマスの３×３＝９マスを１ブロックとし、全面を９ブロックに区切ったナンバ−プレ−スパズル盤。
【請求項２】
木製又はプラスチックの材質で、立方体の上面に１から９の数字を黒字で記入し、その反対下面に同じ数字を赤字で記入した９個の数字コマを１セットとし、これを９セット使用する合計８１個の数字コマ。
【考案の詳細な説明】
【考案の詳細な説明】
この実用新案は、ナンバ−プレ−スパズル盤の欠点を改善するものである。ナンバ−プレ−スパズルの遊び方は、既に世に出て認知されているが遊び方は、９×９＝８１のマスを印刷した紙上で、数字を書いたり消したりして問題を解いているが、この時数字を書いたり消したりして、そのヵ所が汚損しまた破損してしまい、楽しむ雰囲気が壊されてしまい解答に取り組むことが出来なくなってしまうことが多い。
この欠点を改善したのが本案である。
ナンバ−プレ−スパズル盤は木製又はプラスチック等で作り、マスはこのル−ルに従い８１個のマスを作る。このマスに入れるコマは、マスに入るサイズのサイコロ状の立方体で、９個のコマの上面に１から９の数字を黒字で記入し、その反対下面に同じ数字を赤字で記入する。これを１セットとして９セット作る結果、合計８１個の数字コマとなる。
遊び方はナンバ−プレ−スパズルの遊び方ル−ルに従うが、このパズルは問題として出された時既に２０個から３０個の数字がマスに入れられている。
この２０個から３０個の数字を入れる時に、数字コマの赤字を出して所定のマスに入れ込む。その後は空いたマスにタテ列ヨコ列それぞれ１から９の数字が入るようにすると同時に、各ブロック毎に１ブロック内の９個のマスにも１から９の数字が入るように数字コマの黒数字を出して入れて行き、同じ数字が重複しないように入れて行く。
数字を赤色と黒色に分ける意味は、前以て並べる数字コマは赤字を出してマスに入れることとし、動かすことは出来ない。その他の空きますには移動可能な黒字の数字を出してコマを入れて行くが、この黒字コマは出し入れの移動が必要となるので、固定コマと移動可能なコマの見分けが容易に出来るよう色分けをしているのである。
図面により説明すると
［図１］はナンバ−プレ−スパズル盤本体の斜視図である。
１はナンバ−プレ−スパズル盤本体の外枠（厚さ５ｍｍ・高さ１０ｍｍ）である。８はナンバ−プレ−スパズル盤本体の底部（厚さ５ｍｍ）である。２はブロックマス枠（厚さ２ｍｍ・高さ１０ｍｍ）で９個のマスを囲み外枠と高さを同じくして９個のブロックマスを作る。
３はマス枠（厚さ１ｍｍ・高さ５ｍｍ）で個々のマスを作る。４はマス（１１ｍｍ×１１ｍｍ）で数字コマを入れる場所である。
［図２］は数字コマの斜視図である。
数字コマは図１の４マスに出し入れがスム−スに出来るサイズとし、その上面に１から９の数字を黒字で書き入れ、その反対下面に同じ数字を赤字で書き込んだ９個の数字コマを１セットとし、これを９セット作る。５は数字コマ（底辺１０ｍｍ×１０ｍｍ×高さ１２ｍｍ）で、その上面６に４と黒字で書き、その反対下面７に赤字で４と書く。
【図面の簡単な説明】
【図１】は本案の斜視図である。
【図２】は本案の斜視図である。
【符号の説明】１・・・ナンバ−プレ−スパズル盤外枠  ５・・・数字コマ
２・・・ブロックマス枠                ６・・・黒数字
３・・・マス枠                        ７・・・赤数字
４・・・マス                          ８・・・ナンバ−プレ−スパズル盤底部
要約すると
現在のナンバ−プレ−スパズルの遊び方は、紙に印刷された規定の表に数字を記入しているが、記入したり抹消したりを繰り返しながら正解を求めての検討が続き用紙が汚損破損し、この遊びが不可能になることが多い。
ナンバ−プレ−スパズル盤の材質を木製・プラスチック等に変えることにより、数字の入れ替えの場合、数字コマをピンセットで挾み簡単にマスに入れたり出したりすることが出来るので、場所を選ばず例えば風呂に入りながらとか、海水浴場等の水場でも楽しむことが出来る物に改善される。
課題
ナンバ−プレ−スパズル盤のマスに数字コマを入れるには、そのマスの大きさと数字コマの大きさが合致し、スム−スに出し入れ出来ることが重要である。数字コマの出し入れには、手で摘んで出し入れするよりも、適合したピンセットを使用して出し入れ移動すれば、よりスム−スに作業が進み快適にパズルを楽しむことが出来る。
【図１】
0003153469.tif 000003
【図２】
0003153469.tif 000004
【手続補正書】
【提出日】平成21年6月11日(2009.6.11)
【手続補正１】
【補正対象書類名】実用新案登録請求の範囲
【補正対象項目名】全文
【補正方法】変更
【補正の内容】
【実用新案登録請求の範囲】
【請求項１】
木製またはプラスチックの材質で正方形の箱状とし、その中をタテヨコそれぞれ９等分に区切って９×９＝８１のマスを作り、このマスの３×３＝９マスを１ブロックとし、全面を９ブロックに区切ったナンバ−プレ−スパズル盤に、立方体の上面に１から９の数字を黒字で記入し、その反対下面に同じ数字を赤字で記入した９個の数字コマを１セットとし、９セットの８１個の数字コマを使用するナンバ−プレ−スパズル盤。
(57)【要約】      （修正有）【課題】手や衣類を汚さずミルクやガムシロップをコップに入れるための、ミルク又はガムシロップ容器を提供する。【解決手段】フタを開けずにストロー口や飲み口から容器を挿し、ミルクやガムシロップが注入できる挿入先が長いスポイト状であることを特徴とする。【選択図】図１
0003153458.tif 000002
【実用新案登録請求の範囲】
【請求項１】
本発明はミルク・ガムシロップを手や衣類を汚さずフタ付きのコップに入れるスポイト状の容器
【考案の詳細な説明】
【技術分野】
【０００１】本発明はミルクやガムシロップを手や衣類を汚さずコップに入れるスポイト状の容器
【背景技術】
【０００２】ミルク・ガムシロップを開ける際又はフタ付き付きのコップに注入する際手や衣類が汚れてしまう
【考案の開示】
【考案が解決しようとする課題】
【０００３】先が長いスポイト状のミルク・ガムシロップ容器を提供する
【課題を解決するたけの手段】
【０００４】注入口が長い為、フタを開けずにストロー口や飲み口から容器を挿しミルク・ガムシロップが注入できる
【考案の効果】
【０００５】カフェ等で提供されている、フタ付きのカップのフタをわざわざ開けてミルクやガムシロップを入れる際に手や衣類が汚れてしまうのを防ぐ
【考案を実施するための最良の形態】
【０００６】容器がスポイト状で挿入先が長い
【産業上の利用可能性】
【０００７】
【図面の簡単な説明】
【０００８】
【図１】正面図
【符号の説明】
１注入先をストロー口や飲み口に挿す
２押して中身を出す
【図１】
0003153458.tif 000003
【手続補正書】
【提出日】平成21年1月30日(2009.1.30)
【手続補正１】
【補正対象書類名】実用新案登録請求の範囲
【補正対象項目名】全文
【補正方法】変更
【補正の内容】
【実用新案登録請求の範囲】
【請求項１】
本発明は、挿入先が長いスポイト状のミルク・ガムシロップの容器
【手続補正書】
【提出日】平成21年6月11日(2009.6.11)
【手続補正１】
【補正対象書類名】実用新案登録請求の範囲
【補正対象項目名】全文
【補正方法】変更
【補正の内容】
【実用新案登録請求の範囲】
【請求項１】
挿入先が長いスポイト状のミルク又はガムシロップの容器
(57)【要約】      （修正有）【課題】筬を使って、丸太、変木や変形材の入隅の型写しを可能とする入隅型取り筬を提供する。【解決手段】真鍮板１をコ型に曲げ竹櫛５の入る溝を造り、その溝に竹櫛５を入れ並べる。片方の端に真鍮棒１０を設けその棒に真鍮板１１を固定し、真鍮棒１０の中心にボルト２を取り付け、並んでいる竹櫛５を該ボルト２により軽く締めることで竹棒が自由にスライド出来るようにして、入り隅型取りする筬を構成する。さらに、上記の真鍮板に、筬の水平と垂直を見る装置である水平器１及び水泡管８，９を取付ければ、さらに効果的である。【選択図】図７
0003153456.tif 000002
【実用新案登録請求の範囲】
【請求項１】
１  入隅型取りの出来る工具である、竹櫛棒を端先より差込みした構成の入隅型取り筬。
２  構成［図５］１１端先より竹櫛棒を入れ、竹受座金［図５］２である竹受座金締ボルトにより竹櫛を締め１水平器により筬の水平を見て型取する装置である。
【考案の詳細な説明】
【技術分野】
【０００１】考案は丸太、丸太、変木、変形建材の型写しする工具を作る目的である。
【背景技行】
【０００２】従来丸太、変木、変形材、使用する建築、その他工作物である所の入隅を型写し正確にする場合は厚紙又は薄板で型写しをしていた。
【考案の開示】
【考案が解決しようとする課題】
【０００３】従来、丸太、変木、変形材の入隅ある所の型写しする工具不足の為入隅墨付仕事が不便である為、その欠点で入隅の型写しが出来る装置付きの型取りする工具を造る事で、解決しようとするものである。
【課題を解決するための手段】
【０００４】竹櫛が端先より使用できるように竹櫛を差込した構成の型写し筬を使用して入隅型写しが簡単に出来る考案である入隅型取り筬を作る事で問題点を解決する。
【考案の効果】
【０００５】入隅型取り筬が端先まで使用できる工具入隅の型写しが簡単に且つ正確に型写しする事が可能になり、また持ち運びも便利になり、これらの事によって仕事の能率も向上し、人件費の節約になる。
実用上有効な考案である。
【考案を実施するための最良の形態】
【０００６】入隅型取り筬の竹櫛挟み板をコ型加工した溝に竹櫛棒を端先より差込んである構成である。
【実施例】
【０００７】１  考案である入隅型取り筬を建築現場にて［図８］１２参照丸太と丸太の入隅の型取りした所図である。簡単で正確に型写が出来た。
【図面の簡単な説明】
【０００８】
【図１】従来の筬。
【図２】従来の筬を丸太に合わせている所。
【図３】従来の筬を使用して１２市販の水平器を使って型取りしている所。
【図４】従来の筬と市販の水平器を上より見た断面図。
【図５】考案した水平器取り付け型の筬の平面図Ｂ１１参照。
【図６】考案した水平器取り付け型の筬の断面図。
【図７】考案した水平器取り付け型の筬の立体図。
【図８】考案した水平器取り付け型の筬を使用し、丸太の入隅の型取りしている所。
【図９】考案した水平器取り付け型の筬を使用丸太の型取りしている立体図。
【符号の説明】
１  水平器
２  竹受座金締めボルト
３  座金固定ピン
４  竹受座金
５  竹櫛
６  赤色の竹は中芯
７  固定ピン
８  水泡
９  上部水泡
１０  真鍮棒
１１  真鍮板竹櫛挟み
１２  丸太芯墨
【図１】
0003153456.tif 000003
【図２】
0003153456.tif 000004
【図３】
0003153456.tif 000005
【図４】
0003153456.tif 000006
【図５】
0003153456.tif 000007
【図６】
0003153456.tif 000008
【図７】
0003153456.tif 000009
【図８】
0003153456.tif 000010
【図９】
0003153456.tif 000011
【手続補正書】
【提出日】平成20年11月20日(2008.11.20)
【手続補正１】
【補正対象書類名】実用新案登録請求の範囲
【補正対象項目名】全文
【補正方法】変更
【補正の内容】
【実用新案登録請求の範囲】
【請求項１】
真鍮板をコ型に曲げ竹棒の入る溝を造りその溝に竹棒を入れ並べ，片方の端に真鍮棒を儲けその棒に真鍮板を固定し真鍮棒の中心にボールトを取り付け、そのボールトにより竹棒並んでいる竹を軽く締めることで竹棒のスライドが自由に出来竹棒をコ型の端先から竹を並べてある入り隅型取りする筬。
【請求項２】
上記の真鍮板に、水平器及び水泡管を取り付けし筬の水平と垂直を見る装置を取付してある請求請求項１に記載してある入り隅型取りする筬。
【手続補正書】
【提出日】平成21年3月23日(2009.3.23)
【手続補正１】
【補正対象書類名】実用新案登録請求の範囲
【補正対象項目名】全文
【補正方法】変更
【補正の内容】
【実用新案登録請求の範囲】
【請求項１】
真鍮板をコ型に曲げ竹棒の入る溝を造りその溝に竹棒を入れ並べ，片方の端に真鍮棒を設けその棒に真鍮板を固定し真鍮棒の中心にボルト  を取り付け、そのボールトにより竹棒並んでいる竹を軽く締めることで竹棒のスライドが自由に出来竹棒をコ型の端先から竹を並べてある入り隅型取りする筬。
【請求項２】
上記の真鍮板に、筬の水平と垂直を見る装置である水平器及び水泡管を取付けしてある入り隅の所を型取りする筬。
【手続補正書】
【提出日】平成21年6月11日(2009.6.11)
【手続補正１】
【補正対象書類名】実用新案登録請求の範囲
【補正対象項目名】全文
【補正方法】変更
【補正の内容】
【実用新案登録請求の範囲】
【請求項１】
真鍮板をコ型に曲げ竹棒の入る溝を造りその溝に竹棒を入れ並べ，片方の端に真鍮棒を設けその棒に真鍮板を固定し真鍮棒の中心に「ボルト」を取り付け、その「ボルト」により竹棒並んでいる竹を軽く締めることで竹棒のスライドが自由に出来竹棒をコ型の端先から竹を並べてある入り隅型取りする筬。
【請求項２】
上記の真鍮板に、筬の水平と垂直をる装置である水平器及び水泡管を取付けしてある、請求項１に記載の入り隅型取りする筬。
(57)【要約】      （修正有）【課題】ホースを給排水口に深く差し込む物理的・場所的余裕がなくとも、給排水口に届くだけのホースの長さがあれば、安定して給排水を行うことができるジョイントを提供する。【解決手段】ホース受け１で給排水ホースと接続し、取っ手２で給排水口に引っ掛けて設置するものであり、保持部３の効果により給排水ホースが給排水口部分に保持されるため、安定・確実に給排水を行うことができる。【選択図】図２
0003153475.tif 000002
【実用新案登録請求の範囲】
【請求項１】
給排水ホースと接続するためのホース受けと、給排水口に引っ掛けて設置するための取っ手を設け、両者を筒状ないしは錐状の保持部で接続した給排水ホースジョイント。
【考案の詳細な説明】
【技術分野】
【０００１】  本考案は、給排水ホースと給排水口の接続に用いる、ジョイントに関するものである。
【背景技術】
【０００２】  液体を給排水ホースを介して給水、あるいは排水する場合において、液体がこぼれないように給水口あるいは排水口に給水又は排水するためには、ホースを給水口あるいは排水口の中に直接差し込んで給排水を行うか、じょうご等を介して行うことが一般的である。
【考案の開示】
【考案が解決しようとする課題】
【０００３】  給排水口にホースを直接差し込む場合、ある程度深く差し込まなければホースが安定せず、差し込みが浅い場合には、給排水の途中で水圧によりホースが抜け、漏水を起こす危険性があるが、給排水口との位置関係によっては、ホースの長さの余裕が十分に得られない場合もある。【０００４】  一方、じょうごを使用する場合は手で保持する必要があり、労働的負担が大きい。【０００５】  また、安定給排水及び労働的負担の軽減のための手段として、排水ホースと排水口をネジによって接続する方式が、洗濯機と洗濯パンとの接続に利用されているが、これはホース及び給排水口の双方に接続ネジの造作が必要となるため、このような造作のないホースと給排水口については適用できない。
【課題を解決するための手段】
【０００６】  本考案は、給排水口に引っ掛けるための取っ手及びホースと接続するためのホース受けを設けたものであり、本考案のジョイントを介してホースと給排水口を接続し給排水を行うことにより、問題点を解決している。
【考案の効果】
【０００７】  本考案のジョイントを使用すれば、ホースを給排水口に深く差し込む物理的・場所的余裕がなくとも、給排水口に届くだけのホースの長さがあれば、ジョイントがホースを保持するので、安定して給排水を行うことができる。【０００８】  また、ジョイント自体がホース先端部分の重りとなる効果もあるため、水圧によってホースが給排水口から抜けてしまう危険を予防することもできる。【０００９】  さらに、じょうごのように手で保持する負担もなく、作り付けの造作のない給排水口とホースについても適用可能である。
【考案を実施するための最良の手段】
【００１０】  本考案のジョイントは、給排水口に設置して使用するものであり、まず外側の取っ手を給排水口のふちに引っ掛け、次にホースを内側のホース受けに接続する。
【００１１】  なお、この手順は逆であっても支障はない。
【００１２】  このようにしてホースと給排水口を接続して給排水を行えば、ホースの先端は本考案のジョイントによって給排水口に保持されるので、手で保持しなくとも安定して給排水を行うことができ、漏水防止と労働軽減の効果が得られる。
【実施例】
【００１３】  以下、添付図面に従って一実施例を説明する。【００１４】  １はホースを保持するための錐状又は筒状のホース受け、２は給排水口のふちに引っ掛けるための取っ手、３は１と２を接続するための筒状の保持部であるが、ホースの太さによっては１と一体となってホースを保持する場合もある。【００１５】  これらの各構成部分はある程度の重さがあった方がホースを安定させる効果がより高いと思われるが、給排水の性質によっては腐食の懸念もあるため、素材は適宜選択されるべきである。【００１６】  また、１及び２は骨組だけとするか、板状のものを使用する場合は穴を開ける等、液体を流すための処置が施される。【００１７】  添付図面は骨組だけとした場合の例であるが、板状のものに穴を開ける場合においても、基本的な構造及び効果は同一である。
【図面の簡単な説明】
【００１８】
【図１】  本考案の給排水ホースジョイントの実施例を示す俯瞰図である。
【図２】  本考案の給排水ホースジョイントと、ホースとの接続例を示す俯瞰図である。
【図３】  本考案の給排水ホースジョイントの、給排水口への設置例である。
【符号の説明】
【００１９】１  ホース受け
２  取っ手
３  保持部
４  ホース
５  給水口又は配水管
【図１】
0003153475.tif 000003
【図２】
0003153475.tif 000004
【図３】
0003153475.tif 000005
(57)【要約】      （修正有）【課題】着脱が容易であることとこれにより患者あるいは要介護者等の負担を軽減することができ、同時に介護者が過分な労力を要せず容易に作業をすることができる胃ろうカテーテル用腹巻きを提供する。【解決手段】患者本人に不快でなく、介護者の介護が容易に行われるよう、腹巻きを患者の身体に巻き付ける形状としその両端に面ファスナー縫いつけ腹巻きの脱着を容易にし、また腹巻きにカテーテルを通す穴を開けてここからカテーテルを通すことでカテーテルを身体に取り付けていることに対する違和感を軽減する、またカテーテル収納ポケットを設けカテーテルを安定させることができる。【選択図】図１
0003153471.tif 000002
【実用新案登録請求の範囲】
【請求項１】
本請求は、胃ろうカテーテルを通す穴ための穴を腹巻きに開ける。
【請求項２】
腹巻きの形状を帯状とし両端に固定用の面ファスナーを取り付ける。
【請求項３】
腹巻きにはカテーテルの収納ポケットを設ける。
【考案の詳細な説明】
【技術分野】
【０００１】  本考案は、介護において口からの食物の摂取が困難な患者あるいは要介護者等の、快適な療養生活に寄与すると同時に、介護者あるいは医療従事者のサービスをより安全確実なものにすることを目的とする分野に関するものである。
【背景技術】
【０００２】  口からの食物の摂取が困難な患者あるいは要介護者等においては、胃ろうカテーテルによる栄養摂取のため、胃ろうカテーテルを腹部に直接埋め込む場合がある。  胃ろうカテーテルの多くはチューブ型と言われる腹部よりチューブが直接数十センチ伸びている状態のため、これが固定されないままであり、多くの場合市販の腹巻き等でこれを安定させていることが多い。【０００３】  前記は様々な理由で食物を口から摂取すると、むせ込んだり吐いたりしてしまう患者も少くなく、万一食物が気管に入った場合肺炎を引き起こす危険がありそのような患者あるいは要介護者等は体外から胃に穴（胃ろうという）をあけて、そこに胃ろうカテーテルと呼ばれる器具を差し込んで、経管栄養と呼ばれる流動食物を直接胃の中へ投与されている。
【考案の開示】
【考案が解決しようとする課題】
【０００４】  胃ろうカテーテルを使用して、流動食物を投与されている患者の多くには、腹部に直接チューブを埋め込んだ形状のチューブ型胃ろうカテーテルを使用されているが、このチューブは普段は固定されていない状態であり、患者の少しの動きでも患者の体の下へ巻き込まれたり、引っ張られたりし、その結果、胃から抜け落ちてしまうことや、患者あるいは要介護者等に対してはしばしばこれを不快と感じさせることがある。  また、介護者等においては、市販の腹巻きは着衣の度に、患者あるいは要介護者等の身体を通す方法で用いなければならず、介護者の負担のみならず患者あるいは要介護者等においても身体に対する負担が大きい。
【課題を解決するための手段】
【０００５】  本考案は、チューブ型の胃ろうカテーテルを使用して、流動食物を投与されている患者あるいは要介護者等の身体に腹巻きを巻き付ける形状とし、両端に面ファスナーを取り付ける。【０００６】  本考案では、胃ろうカテーテルのチューブを通すため腹巻きの一部に穴を開けておく。【０００７】  本考案の胃ろカテーテル用穴あき巻き形ポケット付き腹巻きはカテーテル収納用のポケットを設ける。
【考案の効果】
【０００８】  従来の腹巻きは、腹巻きの脱着をするために腹巻きを身体の頭部若しくは足先から腹部まで腹巻きを通さなければならないが、本考案の腹巻きは患者あるいは要介護者等の身体に巻き付ける方式であるので、着脱が容易であることとこれにより患者あるいは要介護者等の負担を軽減することができ、同時に介護者が過分な労力を要せず容易に作業をすることができる。【０００９】  腹部からのカテーテルを通すために腹巻きに穴を開けておくことで、カテーテルが取り付けられた腹部とカテーテルが常時接している状態を免れ、同時にカテーテルのチューブが腹部取り付け部分において折り曲げられることを防ぎ、チューブに対する患者あるいは要介護者等の不快感の軽減に寄与すると同時にチューブの疲労を軽減することもできる。【００１０】  本考案は、カテーテル収納用ポケットが取り付けられており、これによりカテーテルが患者あるいは要介護者等の身体に押さえられたり巻き込まれることがないので、カテーテルが引っ張られたりすることもなく、患者あるいは要介護者等がカテーテルが引っ張られた場合などに感じる不快感を解消出来る。【００１１】  胃ろうを用いて食物を摂取した場合、しばしば下痢になることが多い、現在対処として注入する経管栄養を温めたり注入速度を落すなどの対処もあるが、本考案の腹巻きにより腹部を暖め下痢を引き起こしにくくする効果も期待できる。
【図面の簡単な説明】
【図１】本考案の表面を示している。胃ろうチューブを通す穴を設けこれより右側に面ファスナーを縫いつける。右端にはチューブ収納用のポケットを取り付ける
【図２】本考案の裏面を示している。表面の面ファスナーで固定させるための面ファスナーを左端に縫いつける
【図１】
0003153471.tif 000003
【図２】
0003153471.tif 000004
【手続補正書】
【提出日】平成21年6月17日(2009.6.17)
【手続補正１】
【補正対象書類名】実用新案登録請求の範囲
【補正対象項目名】全文
【補正方法】変更
【補正の内容】
【実用新案登録請求の範囲】
【請求項１】
胃ろうカテーテルを通すための穴を開けたことを特徴とする腹巻き。
【請求項２】
腹巻きの形状を帯状とし両端に固定用の面ファスナーを取り付けたことを特徴とする請求項１記載の腹巻き。
【請求項３】
カテーテルの収納ポケットを設けたことを特徴とする請求項１記載の腹巻き。
(57)【要約】      （修正有）【課題】簡単な歯磨きブラシで水平方向の左右運動の磨きのみで上下方向も同時に歯磨きすることが出来る歯ブラシを提供する。【解決手段】従来から有る単純な歯磨きブラシ毛の植え込み位置の配列を変え斜めにブラシ毛を植え込み、歯ブラシの中心線上に山の頂上が来る様にブラシ毛をやまがたに植え込む事により物理的力により解決する。【選択図】図２
0003153476.tif 000002
【実用新案登録請求の範囲】
【請求項１】
従来から有る磨き用ブラシの植え込みブラシの配列を斜めに配列され、磨きブラシの中心線上に山の頂上が来る様にブラシををやまがたに植え込んだ歯ブラシ（磨きブラシ等）。
【考案の詳細な説明】
【技術分野】
【０００１】本考案は、従来から有る簡単な構造を利用した歯磨きブラシに関する。
【背景技術】
【０００２】従来からある歯磨きブラシは、配列は正しく整列していた為、ブラシを上下左右と手で動かしていた、また電動で回転する物を使っていた。
【考案の開示】
【考案が解決しょうとする課題】
【０００３】従来から有る簡単な構造で一般的に歯ブラシを水平方向に左右に動かして歯を磨き上下方向にも歯ブラシを動かさなければ成らない、水平方向に左右に動かすだけで左右方向も勿論上下方向も磨けないか解決しようとした。
【課題を解決するための手段】
【０００４】この課題を解決するため、簡単な方法で従来から有る歯ブラシの植え付毛の配列を斜めに変える事で  つまり歯ブラシ部全体の中心線上を山とした斜めの線上にブラシ毛をやまがたに植え込みする事で簡単に解決する。
【考案の効果】
【０００５】斜めに植え込みする事で物理的に水平方向に歯ブラシを動かす事により斜めの植え込んだブラシが上下方向にも歯に当たり磨くことになります、本考案により従来から有る簡単な構造を利用して簡単に左右方向に歯を磨くことにより物理的に上下方向に力が働き上下にもブラシが歯に当たり簡単に磨きが出来る。
【考案を実施するための最良の形態】
【０００６】歯ブラシの植え込み部を斜めにして全体の中心線上に山の頂点に来る様に斜めにブラシ毛を埋め込の配列にすると物理的にブラシが歯を左右上下に磨く事が出来る。
【図面の簡単な説明】
【０００７】
【図１】斜め植え込みの中心を水平方向に配列したブラシの上面図である。
【図２】斜め植え込みの中心を垂直方向に配列したブラシの側面図である。
【符号の説明】
【０００８】  図１と図２の１は、上から見たやまがたに配列したブラシの一部。
図１と図２の２は、ブラシの水平方向及び垂直方向の中心です
【図１】
0003153476.tif 000003
【図２】
0003153476.tif 000004
【手続補正書】
【提出日】平成21年6月18日(2009.6.18)
【手続補正１】
【補正対象書類名】実用新案登録請求の範囲
【補正対象項目名】全文
【補正方法】変更
【補正の内容】
【実用新案登録請求の範囲】
【請求項１】
歯ブラシ本体の中心線上に山の頂上が来る様にブラシ毛を斜めに植え込んでやまがたに並んだ歯磨きブラシもしくは歯磨きブラシのブラシ毛の植え込配列を斜めに配列された歯ブラシ
【手続補正２】
【補正対象書類名】明細書
【補正対象項目名】０００７
【補正方法】変更
【補正の内容】
【０００７】
【図１】本案の斜め植え込みやまがた歯ブラシを上から見たひとつの例の図です
【図２】本案の斜め植え込みがた歯ブラシを上から見た違うパターンの図です
【手続補正３】
【補正対象書類名】明細書
【補正対象項目名】０００８
【補正方法】変更
【補正の内容】
【０００８】図の１は、上から見た歯ブラシ毛の植え込んだ並び形の一部、やまがたに並んでいます。
図の２は、上から見た歯ブラシ全体の中心線です。
【手続補正４】
【補正対象書類名】図面
【補正対象項目名】全図
【補正方法】変更
【補正の内容】
【図１】
0003153476.tif 000005
【図２】
0003153476.tif 000006